(57)【要約】【課題】スピンドルモータ水平調整機構を具えた光ディスクドライブの提供。【解決手段】ベースシャーシ及びスピンドルモータの固定板間に水平調整機構が設けられ、スピンドルモータ上の光ディスクの光ピックアップに対する角度を調整して簡単で快速な水平調整を提供する。【選択図】図６
2009037663.tif 000002
【特許請求の範囲】
【請求項１】
光ディスクドライブにおいて、
光ピックアップと、
一対の光ピックアップ用ガイドシャフトであって、該光ピックアップがスライド自在にその上に設置される、前記一対の光ピックアップ用ガイドシャフトと、
スピンドルモータであって、光ディスクを駆動する動力源とされ、固定板を具備する、前記スピンドルモータと、
以上を搭載するベースシャーシと、
を包含し、該ベースシャーシと固定板の間に水平調整機構が設けられ、該水平調整機構により該スピンドルモータ上の光ディスクの光ピックアップに対する角度を調整できることを特徴とする、光ディスクドライブ。
【請求項２】
請求項１記載の光ディスクドライブにおいて、前記水平調整機構が、
第１ポストであって、該ベースシャーシ上に設けられ、ネジ孔を具えた、上記第１ポストと、
第２ポストであって、該ベースシャーシ上に設けられ、ネジ孔を具えた、上記第２ポストと、
第３ポストであって、該ベースシャーシ上に設けられ、ネジ孔を具え、該第１ポスト、第２ポストの高さより高く、且つ第１、第２ポストと三角形を呈するようにベースシャーシ上に配置された、上記第３ポストと、
固定ボルトであって、該第３ポストに該固定板をネジ止めする、上記固定ボルトと、
第１調整ボルトであって、該固定板に通された後に第１ポストにねじ込まれ、且つ該固定板と該第１ポストの間で第１バネに通された、上記第１調整ボルトと、
第２調整ボルトであって、該固定板に通された後に第２ポストにねじ込まれ、且つ該固定板と該第２ポストの間で第２バネに通された、上記第２調整ボルトと、
を包含したことを特徴とする、光ディスクドライブ。
【発明の詳細な説明】
【技術分野】
【０００１】
本発明は一種の光ディスクドライブに係り、特に、スピンドルモータ水平調整機構を具えた光ディスクドライブに関する。
【背景技術】
【０００２】
現在、光ディスクドライブは、光ディスクと光ピックアップの発射するレーザービームとの間の理想角度が９０度の垂直角とされ、許容可能な誤差範囲は約１０°とされる。光ディスクドライブの製造時には、機構の問題のため、光ピックアップと光ディスクの角度を前述の許容範囲内におさめることができず、このため光ピックアップの角度を適宜調整する必要がある。しかし、光ピックアップは一対のレール上をスライドする機構であるため、一般にはレールの水平角度の調整がなされ、その調整機構部品は比較的多く、且つ調整に費やされる時間も長く、量産時間とコストも高くなる。
【発明の開示】
【発明が解決しようとする課題】
【０００３】
本発明は一種のスピンドルモータ水平調整機構を具えた光ディスクドライブを提供し、このような光ディスクドライブによって、水平調整の時間を節約し、量産に適するものとし、製造コストを下げることを目的とする。
【０００４】
本発明は以下の技術手段によって、本発明の各種の目的と作用効果を実現する。本発明の光ディスクドライブは、光ディスクドライブの光ディスクドライブ基板とスピンドルモータの固定板間に、水平調整機構を設け、スピンドルモータ上の光ディスクの光ピックアップに対する角度を調整できるようにする。
【課題を解決するための手段】
【０００５】
請求項１の発明は、光ディスクドライブにおいて、
光ピックアップと、
一対の光ピックアップ用ガイドシャフトであって、該光ピックアップがスライド自在にその上に設置される、前記一対の光ピックアップ用ガイドシャフトと、
スピンドルモータであって、光ディスクを駆動する動力源とされ、固定板を具備する、前記スピンドルモータと、
以上を搭載するベースシャーシと、
を包含し、該ベースシャーシと固定板の間に水平調整機構が設けられ、該水平調整機構により該スピンドルモータ上の光ディスクの光ピックアップに対する角度を調整できることを特徴とする、光ディスクドライブとしている。
請求項２の発明は、請求項１記載の光ディスクドライブにおいて、前記水平調整機構が、
第１ポストであって、該ベースシャーシ上に設けられ、ネジ孔を具えた、上記第１ポストと、
第２ポストであって、該ベースシャーシ上に設けられ、ネジ孔を具えた、上記第２ポストと、
第３ポストであって、該ベースシャーシ上に設けられ、ネジ孔を具え、該第１ポスト、第２ポストの高さより高く、且つ第１、第２ポストと三角形を呈するようにベースシャーシ上に配置された、上記第３ポストと、
固定ボルトであって、該第３ポストに該固定板をネジ止めする、上記固定ボルトと、
第１調整ボルトであって、該固定板に通された後に第１ポストにねじ込まれ、且つ該固定板と該第１ポストの間で第１バネに通された、上記第１調整ボルトと、
第２調整ボルトであって、該固定板に通された後に第２ポストにねじ込まれ、且つ該固定板と該第２ポストの間で第２バネに通された、上記第２調整ボルトと、
を包含したことを特徴とする、光ディスクドライブとしている。
【発明の効果】
【０００６】
従来の技術と比較して、本発明はスピンドルモータの光ピックアップに対する水平角度を調整し、従来の光ピックアップのスピンドルモータに対する水平角度調整を調整する技術に比べると、その構造は簡易化され、並びに調整時間を節約でき、量産に関しては、単位時間の生産量を増加でき、製造コストは自ずと下がる。
【発明を実施するための最良の形態】
【０００７】
本発明は、光ディスクドライブのベースシャーシ及びスピンドルモータの固定板間の水平調整機構を設けて、スピンドルモータ上の光ディスクの光ピックアップに対する角度を調整できるようにする。
【０００８】
図１から図６に示される本発明の好ましい実施例において、光ディスクドライブは、ベースシャーシ１１、一対の光ピックアップ用ガイドシャフト１２、スピンドルモータ１３、水平調整機構１４、及び光ピックアップ１５を包含する。そのうち、該光ピックアップ１５はスライド自在に光ピックアップ用ガイドシャフト１２上に設置され、スピンドルモータ１３は光ディスク１６を駆動する動力源とされ、該スピンドルモータ１３は固定板１３１を具備する。水平調整機構１４は、ベースシャーシ１１及び固定板１３１の間に取り付けられ、スピンドルモータ１３上の光ディスク１６の光ピックアップ１５に対する角度を調整する（図３）。本発明のベースシャーシ１１は周知のものと同様に各部品に対応する若干の開孔１７が設けられている。
【０００９】
本発明の実施例中、該水平調整機構１４は第１ポスト１４１、第２ポスト１４２、第３ポスト１４３、第１調整ボルト１４４、第２調整ボルト１４５、及び固定ボルト１４６を包含する。該第１、２、３ポスト１４１、１４２、１４３は三角形を呈するようにベースシャーシ１１上に配置され、該第１、２、３ポスト１４１、１４２、１４３はネジ孔１４１１、１４２１、１４３１を具えている。そのうち、第３ポスト１４３は、第１、第２ポスト１４１、１４２の高さより高く設けられる。固定ボルト１４６は固定板１３１を第３ポスト１４３にネジ止めし、第１調整ボルト１４４は固定板１３１に通された後に第１ポスト１４１にねじ込まれ、並びに固定板１３１及び第１ポスト１４１の間で第１バネ１４７に通され、第２調整ボルト１４５は固定板１３１に通された後に第２ポスト１４２にねじ込まれ、並びに固定板１３１と第２ポスト１４２の間で第２バネ１４８に通される。
【００１０】
本発明の組立後は図１から図５に示されるようであり、その操作については図６を参照されたい。本発明は固定ボルト１４６を利用して固定板１３１を第３ポスト１４３にネジ止めし、固定板１３１と第１ポスト１４１、第２ポスト１４２の間には直接接触はなく、中間はそれぞれ第１バネ１４７、第２バネ１４８を利用して支持されるため、第１調整ボルト１４４及び第２調整ボルト１４５を利用して固定板１３１の水平が調整可能で、並びに第３ポスト１４３が支点とされて基準の参考点とされる。
【００１１】
本発明によると、実施例中、第３ポスト１４３が支点とされて基準の参考点とされるため、第１調整ボルト１４４と第２調整ボルト１４５を調整するだけで、簡単快速に光ピックアップ１５の光ディスク１６のピックアップ角度を調整でき、調整機構が簡易化され、これにより本発明の量産速度は高められ、市場での競争力を具備する。
【図面の簡単な説明】
【００１２】
【図１】本発明の好ましい実施例の立体図である。
【図２】本発明の好ましい実施例の正面図である。
【図３】図２の実施例の俯瞰図である。
【図４】図２の実施例の側面図である。
【図５】本発明の好ましい実施例の別角度から観た立体図である。
【図６】本発明の好ましい実施例の部分立体分解図である。
【符号の説明】
【００１３】
１１  ベースシャーシ                    １４３  第３ポスト
１２  光ピックアップ用ガイドシャフト    １４４  第１調整ボルト
１３  スピンドルモータ                  １４５  第２調整ボルト
１４  水平調整機構                      １４６  固定ボルト
１５  光ピックアップ                    １４７  第１バネ
１６  光ディスク                        １４８  第２バネ
１７  開孔                              １４１１  ネジ孔
１３１  固定板                          １４２１  ネジ孔
１４１  第１ポスト                      １４３１  ネジ孔
１４２  第２ポスト
【図１】
2009037663.tif 000003
【図２】
2009037663.tif 000004
【図３】
2009037663.tif 000005
【図４】
2009037663.tif 000006
【図５】
2009037663.tif 000007
【図６】
2009037663.tif 000008